【手続補正書】
【提出日】平成26年4月16日(2014.4.16)
【手続補正１】
【補正対象書類名】特許請求の範囲
【補正対象項目名】全文
【補正方法】変更
【補正の内容】
【特許請求の範囲】
【請求項１】
測定された温度に基づいた温度補償電圧を出力する温度補償回路と、
前記温度補償電圧に基づいて発振周波数の温度補償がされる電圧制御発振回路と、を有する温度補償型発振回路において、
前記温度補償回路への電力の供給を切替制御するスイッチ回路と、
前記スイッチ回路を介し前記電力が供給されているときに、前記温度補償回路から出力された前記温度補償電圧を保持するとともに前記温度補償電圧を前記電圧制御発振回路に出力するオンの状態と、前記スイッチ回路にて前記電力の供給が絶たれているときに前記保持された前記温度補償電圧を前記電圧制御発振回路に出力するオフの状態と、に切替制御されるサンプルホールド回路と、を備えたことを特徴とする温度補償型発振回路。
【請求項２】
前記スイッチ回路の前記切替制御及び前記サンプルホールド回路の切替制御をするための切替信号を出力する出力回路を備えたことを特徴とする請求項１に記載の温度補償型発振回路。
【請求項３】
前記出力回路は、
前記切替信号の発振源回路としてＬＣ発振回路を有することを特徴とする請求項２に記載の温度補償型発振回路。
【請求項４】
前記出力回路から出力される前記切替信号の発振源回路が前記電圧制御発振回路であることを特徴とする請求項２に記載の温度補償型発振回路。
【請求項５】
前記出力回路は、
前記発振源回路からの発振信号を積分する積分回路と、
当該積分された信号の電圧と閾値電圧とを比較した信号を前記切替信号として前記スイッチ回路側及び前記サンプルホールド回路側に出力するコンパレータと、を有することを特徴とする請求項３または４に記載の温度補償型発振回路。
【請求項６】
前記出力回路は、
前記閾値電圧を制御する電圧制御手段を有することを特徴とする請求項５に記載の温度補償型発振回路。
【請求項７】
前記出力回路は、
前記コンパレータの出力信号が入力され、当該コンパレータの出力信号の電圧変化を遅延させた遅延信号を出力する遅延回路と、
前記切替信号と前記遅延信号とのＯＲ解となる信号を前記切替信号として前記スイッチ回路に出力するＯＲ回路と、
前記コンパレータの出力信号と前記遅延信号とのＡＮＤ解となる信号を前記切替信号として前記サンプルホールド回路に出力するＡＮＤ回路と、を有することを特徴とする請求項５または６に記載の温度補償型発振回路。
【請求項８】
前記温度補償回路と前記サンプルホールド回路との間、または、前記サンプルホールド回路と前記電圧制御発振回路との少なくとも一方の間にはローパスフィルターが配置されたことを特徴とする請求項１乃至７のいずれか１項に記載の温度補償型発振回路。
【請求項９】
請求項１乃至８のいずれか１項に記載の温度補償型発振回路を搭載したことを特徴とする電子機器。
【手続補正２】
【補正対象書類名】明細書
【補正対象項目名】発明の名称
【補正方法】変更
【補正の内容】
【発明の名称】温度補償型発振回路、電子機器
【手続補正３】
【補正対象書類名】明細書
【補正対象項目名】０００１
【補正方法】変更
【補正の内容】
【０００１】
本発明は高精度な温度補償を維持しつつ省電力化が可能な温度補償型発振回路、及びこれを搭載した電子機器に関する。
【手続補正４】
【補正対象書類名】明細書
【補正対象項目名】０００８
【補正方法】変更
【補正の内容】
【０００８】
そこで本発明は、上記問題点に着目し、高精度な温度補償を維持しつつ省電力化が可能な温度補償型発振回路、及びこれを搭載した電子機器を提供することを目的とする。
【手続補正５】
【補正対象書類名】明細書
【補正対象項目名】０００９
【補正方法】変更
【補正の内容】
【０００９】
本発明は、上述の課題の少なくとも一部を解決するためになされたものであり、以下の形態、または適用例として実現することが可能である。
第１の形態に係る温度補償型発振回路は、測定された温度に基づいた温度補償電圧を出力する温度補償回路と、前記温度補償電圧に基づいて発振周波数の温度補償がされる電圧制御発振回路と、を有する温度補償型発振回路において、前記温度補償回路への電力の供給を切替制御するスイッチ回路と、前記スイッチ回路を介し前記電力が供給されているときに、前記温度補償回路から出力された前記温度補償電圧を保持するとともに前記温度補償電圧を前記電圧制御発振回路に出力するオンの状態と、前記スイッチ回路にて前記電力の供給が絶たれているときに前記保持された前記温度補償電圧を前記電圧制御発振回路に出力するオフの状態と、に切替制御されるサンプルホールド回路と、を備えたことを特徴とする。
第２の形態に係る温度補償型発振回路は、第１の形態に係る温度補償型発振回路において、前記スイッチ回路の前記切替制御及び前記サンプルホールド回路の切替制御をするための切替信号を出力する出力回路を備えたことを特徴とする。
第３の形態に係る温度補償型発振回路は、第２の形態に係る温度補償型発振回路において、前記出力回路は、前記切替信号の発振源回路としてＬＣ発振回路を有することを特徴とする。
第４の形態に係る温度補償型発振回路は、第２の形態に係る温度補償型発振回路において、前記出力回路から出力される前記切替信号の発振源回路が前記電圧制御発振回路であることを特徴とする。
第５の形態に係る温度補償型発振回路は、第３の形態または第４の形態に係る温度補償型発振回路において、前記出力回路は、前記発振源回路からの発振信号を積分する積分回路と、当該積分された信号の電圧と閾値電圧とを比較した信号を前記切替信号として前記スイッチ回路側及び前記サンプルホールド回路側に出力するコンパレータと、を有することを特徴とする。
第６の形態に係る温度補償型発振回路は、第５の形態に係る温度補償型発振回路において、前記出力回路は、前記閾値電圧を制御する電圧制御手段を有することを特徴とする。
第７の形態に係る温度補償型発振回路は、第５の形態または第６の形態に係る温度補償型発振回路において、前記出力回路は、前記コンパレータの出力信号が入力され、当該コンパレータの出力信号の電圧変化を遅延させた遅延信号を出力する遅延回路と、前記切替信号と前記遅延信号とのＯＲ解となる信号を前記切替信号として前記スイッチ回路に出力するＯＲ回路と、前記コンパレータの出力信号と前記遅延信号とのＡＮＤ解となる信号を前記切替信号として前記サンプルホールド回路に出力するＡＮＤ回路と、を有することを特徴とする。
第８の形態に係る温度補償型発振回路は、第１の形態乃至第７の形態のいずれか１の形態に係る温度補償型発振回路において、前記温度補償回路と前記サンプルホールド回路との間、または、前記サンプルホールド回路と前記電圧制御発振回路との少なくとも一方の間にはローパスフィルターが配置されたことを特徴とする。
本形態に係る電子機器は、第１の形態乃至第８の形態のいずれか１の形態に係る温度補償型発振回路を搭載したことを特徴とする。
【手続補正６】
【補正対象書類名】明細書
【補正対象項目名】００２１
【補正方法】変更
【補正の内容】
【００２１】
図１に第１実施形態の温度補償型発振器の全体ブロック図を示す。第１実施形態の温度補償型発振器１０は、温度センサー２０、温度補償回路２２、サンプルホールド回路２８、電圧制御発振回路１２、バッファー１８の順に直列に接続した構成を有し、これらの構成要素と後述する出力回路３６に一定の電圧（電力）を供給するレギュレーター（定電圧出力回路）２６を有している。さらに、レギュレーター２６と温度補償回路２２との間にはスイッチ回路２４が接続されている。さらに、スイッチ回路２４に第１のオンオフ信号（ＳＷ１）を出力し、且つサンプルホールド回路２８に第２のオンオフ信号（ＳＷ２）を出力する出力回路３６を備えている。なお、オンオフ信号（切替信号）とは、後述のとおり、スイッチ回路２４の入出力間のオンとオフの切替、サンプルホールド回路２８の入出力間のオンとオフとの切替を、それぞれ連続的に繰り返し行なうための切替制御信号である。